(57)【要約】【課題】複数の光源からの光を好適に混ぜ合わせることが可能な発光装置及びこの発光装置を備える表示装置を提供する。【解決手段】一実施形態に係る発光装置は、偏光した光を第１方向に放つ光源部と、上記偏光した光が上記第１方向から照射され、上記偏光した光を上記第１方向と交わる第２方向に屈曲させる屈曲部と、上記屈曲部で屈曲された上記偏光した光が照射される導光体と、を含む。上記導光体は、出射面を有し、上記偏光した光を第３方向に屈曲させて上記出射面から出射させる。上記光源部は、第１色の第１光を放つ第１光源と、第２色の第２光を放つ第２光源とを含む。上記屈曲部は、上記第１光が入射する第１入射部と、上記第２光が入射する第２入射部とを含む。【選択図】図４
2017103007.tif 000002
【特許請求の範囲】
【請求項１】
偏光した光を第１方向に放つ光源部と、
前記偏光した光が前記第１方向から照射され、前記偏光した光を前記第１方向と交わる第２方向に屈曲させる屈曲部と、
前記屈曲部で屈曲された前記偏光した光が照射される導光体と、
を含み、
前記導光体は、出射面を有し、前記偏光した光を第３方向に屈曲させて前記出射面から出射させ、
前記光源部は、第１色の第１光を放つ第１光源と、第２色の第２光を放つ第２光源とを含み、
前記屈曲部は、前記第１光が入射する第１入射部と、前記第２光が入射する第２入射部とを含む、
発光装置。
【請求項２】
前記光源部は、前記第１光源と前記第１入射部との間に設けられた第１レンズと、前記第２光源と前記第２入射部との間に設けられた第２レンズとを含み、
前記第１光源及び前記第２光源は、発散光を放つ点光源であり、
前記第１レンズは、前記第１光源からの前記第１光を前記第１方向と平行な光に変換して前記第１入射部に照射し、
前記第２レンズは、前記第２光源からの前記第２光を前記第１方向と平行な光に変換して前記第２入射部に照射する、
請求項１に記載の発光装置。
【請求項３】
前記屈曲部は、前記第１入射部を有する第１屈曲体と、前記第２入射部を有する第２屈曲体とを含み、
前記第１屈曲体及び前記第２屈曲体は、前記第２方向に並んでいる、
請求項１又は２に記載の発光装置。
【請求項４】
前記導光体と前記第２屈曲体との間に前記第１屈曲体が設けられ、
前記第１屈曲体は、前記第１方向及び前記第２方向に対して傾いた傾斜面と、前記第２方向と垂直に交わる平坦面とを有し、
前記第１光源から前記第１屈曲体に入射する前記第１光は、前記傾斜面により前記第２方向に屈曲され、
前記第２屈曲体により前記第２方向に屈曲された前記第２光は、前記平坦面を通る、
請求項３に記載の発光装置。
【請求項５】
前記屈曲部は、前記第１入射部を有する第１屈曲体と、前記第２入射部を有する第２屈曲体とを含み、
前記第１屈曲体及び前記第２屈曲体は、前記第３方向に並んでいる、
請求項１又は２に記載の発光装置。
【請求項６】
前記屈曲部と前記導光体との間に設けられ、前記屈曲部からの前記第１光及び前記第２光を屈折させる屈折体をさらに備え、
前記導光体は、前記屈折体により屈折された前記第１光及び前記第２光を前記出射面に向けて反射する反射面を有する、
請求項１乃至５のうちいずれか１項に記載の発光装置。
【請求項７】
前記屈折体は、前記第１光が入射する第１面と、前記第２光が入射する第２面とを有し、
前記第１面は、前記反射面に対して第１角度で傾いており、前記第２面は、前記反射面に対して第２角度で傾いており、
前記第１角度と前記第２角度とが異なる、
請求項６に記載の発光装置。
【請求項８】
第１基板と、
第２基板と、
前記第１基板と前記第２基板との間に設けられた液晶層と、
偏光した光を第１方向に放つ光源部と、
前記偏光した光が前記第１方向から照射され、前記偏光した光を前記第１方向と交わる第２方向に屈曲させる屈曲部と、
前記屈曲部で屈曲された前記偏光した光が照射される導光体と、
を含み、
前記導光体は、前記第１基板に対向する出射面を有し、前記偏光した光を第３方向に屈曲させて前記出射面から出射させ、
前記光源部は、第１色の第１光を放つ第１光源と、第２色の第２光を放つ第２光源とを含み、
前記屈曲部は、前記第１光が入射する第１入射部と、前記第２光が入射する第２入射部とを含む、
表示装置。
【請求項９】
前記光源部は、前記第１光源と前記第１入射部との間に設けられた第１レンズと、前記第２光源と前記第２入射部との間に設けられた第２レンズとを含み、
前記第１光源及び前記第２光源は、発散光を放つ点光源であり、
前記第１レンズは、前記第１光源からの前記第１光を前記第１方向と平行な光に変換して前記第１入射部に照射し、
前記第２レンズは、前記第２光源からの前記第２光を前記第１方向と平行な光に変換して前記第２入射部に照射する、
請求項８に記載の表示装置。
【請求項１０】
前記屈曲部は、前記第１入射部を有する第１屈曲体と、前記第２入射部を有する第２屈曲体とを含み、
前記第１屈曲体及び前記第２屈曲体は、前記第２方向に並んでいる、
請求項８又は９に記載の表示装置。
【請求項１１】
前記導光体と前記第２屈曲体との間に前記第１屈曲体が設けられ、
前記第１屈曲体は、前記第１方向及び前記第２方向に対して傾いた傾斜面と、前記第２方向と垂直に交わる平坦面とを有し、
前記第１光源から前記第１屈曲体に入射する前記第１光は、前記傾斜面により前記第２方向に屈曲され、
前記第２屈曲体により前記第２方向に屈曲された前記第２光は、前記平坦面を通る、
請求項１０に記載の表示装置。
【請求項１２】
前記屈曲部は、前記第１入射部を有する第１屈曲体と、前記第２入射部を有する第２屈曲体とを含み、
前記第１屈曲体及び前記第２屈曲体は、前記第３方向に並んでいる、
請求項８又は９に記載の表示装置。
【請求項１３】
前記屈曲部と前記導光体との間に設けられ、前記屈曲部からの前記第１光及び前記第２光を屈折させる屈折体をさらに備え、
前記導光体は、前記屈折体により屈折された前記第１光及び前記第２光を前記出射面に向けて反射する反射面を有する、
請求項８乃至１２のうちいずれか１項に記載の表示装置。
【請求項１４】
前記屈折体は、前記第１光が入射する第１面と、前記第２光が入射する第２面とを有し、
前記第１面は、前記反射面に対して第１角度で傾いており、前記第２面は、前記反射面に対して第２角度で傾いており、
前記第１角度と前記第２角度とが異なる、
請求項１３に記載の表示装置。
【発明の詳細な説明】
【技術分野】
【０００１】
本発明の実施形態は、発光装置及び表示装置に関する。
【背景技術】
【０００２】
従来、液晶表示装置などの表示装置のバックライトとして、レーザ光のような偏光した光を放つ光源と、この光源からのレーザ光を表示パネルに照射する導光板とを備える装置が知られている（例えば特許文献１を参照）。
【０００３】
偏光した光を用いるバックライトで例えば白色の光を得るためには、赤色、緑色、青色の光を放つ光源を用意し、これら光源からの光を混ぜ合わせる必要がある。このように異なる色の偏光した光を混ぜ合わせて特定の色の光を得るバックライトにおいては、種々の改善点が存在する。
【０００４】
例えば、導光板に至る前に各偏光した光の光軸を揃えてこれらの光を混ぜ合わせる場合には、各光の光軸を揃えるための光学系を配置するためのスペースが必要となり、バックライトの小型化が困難となる。
【０００５】
また、各光源からの偏光した光を導光板に直接入射させ、導光板内で各光を混ぜる構造を採用した場合には、偏光した光の広がり角の狭さなどにより、導光板を均一に面発光させることが困難となる。
【先行技術文献】
【特許文献】
【０００６】
【特許文献１】特開２０１４−６７５３１号公報
【発明の概要】
【発明が解決しようとする課題】
【０００７】
本開示の一態様における目的は、複数の光源からの光を好適に混ぜ合わせることが可能な発光装置、及び、この発光装置を備える表示装置を提供することである。
【課題を解決するための手段】
【０００８】
一実施形態に係る発光装置は、偏光した光を第１方向に放つ光源部と、上記偏光した光が上記第１方向から照射され、上記偏光した光を上記第１方向と交わる第２方向に屈曲させる屈曲部と、上記屈曲部で屈曲された上記偏光した光が照射される導光体と、を含む。上記導光体は、出射面を有し、上記偏光した光を第３方向に屈曲させて上記出射面から出射させる。上記光源部は、第１色の第１光を放つ第１光源と、第２色の第２光を放つ第２光源とを含む。上記屈曲部は、上記第１光が入射する第１入射部と、上記第２光が入射する第２入射部とを含む。
【０００９】
また、一実施形態に係る表示装置は、第１基板と、第２基板と、上記第１基板と上記第２基板との間に設けられた液晶層と、上記発光装置とを含む。
【図面の簡単な説明】
【００１０】
【図１】図１は、第１実施形態に係る液晶表示装置の概略的な構成を示す平面図である。
【図２】図２は、上記液晶表示装置が備える表示パネル及びバックライトの断面の一例を示す図である。
【図３】図３は、上記バックライトの概略的な構成を示す平面図である。
【図４】図４は、図３に示したバックライトの一部を拡大して示す平面図である。
【図５】図５は、図４に示したレンズ部、屈曲部、屈折体及び導光体の一部の側面図である。
【図６】図６は、第２実施形態に係るバックライトの一部を概略的に示す平面図である。
【図７】図７は、図６に示したレンズ部、屈曲部、屈折体及び導光体の一部の側面図である。
【図８】図８は、第２実施形態における屈曲部の一部を拡大して示す図である。
【図９】図９は、光源部、レンズ部及び屈曲部の配置に関する変形例を示す図である。
【図１０】図１０は、屈曲体の形状の変形例を示す図である。
【図１１】図１１は、屈曲体の形状の他の変形例を示す図である。
【図１２】図１２は、光源が放つ光の方向を変えた変形例を示す図である。
【発明を実施するための形態】
【００１１】
いくつかの実施形態につき、図面を参照しながら説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を省略することがある。
【００１２】
各実施形態においては、表示装置の一例として、バックライトを備える透過型の液晶表示装置を開示する。ただし、各実施形態は、他種の表示装置に対する、各実施形態にて開示される個々の技術的思想の適用を妨げるものではない。他種の表示装置としては、例えば、透過型の機能に加えて外光を反射してこの反射光を表示に利用する反射型の機能を備えた液晶表示装置や、Micro Electro Mechanical System（ＭＥＭＳ）シャッターが光学素子として機能する機械式表示パネルを有する表示装置などが想定される。また、バックライトは、液晶表示装置とは別個の発光装置として提供されても良い。
【００１３】
（第１実施形態）  
図１は、第１実施形態に係る液晶表示装置１の概略的な構成を示す平面図である。液晶表示装置１は、例えば、スマートフォン、タブレット端末、携帯電話端末、パーソナルコンピュータ、テレビ受像装置、車載装置、ゲーム機器、ウェアラブル端末等の種々の装置に用いることができる。
【００１４】
液晶表示装置１は、表示パネル２と、発光装置の一例であるバックライト３と、表示パネル２を駆動する駆動ＩＣチップ４と、表示パネル２及びバックライト３の動作を制御する制御モジュール５と、表示パネル２及びバックライト３へ制御信号を伝達するフレキシブル回路基板ＦＰＣ１，ＦＰＣ２とを備えている。
【００１５】
本実施形態においては、図１に示すように、第１方向Ｄ１、第２方向Ｄ２、及び第３方向Ｄ３を定義する。第１方向Ｄ１は、例えば表示パネル２の短辺に沿う方向である。第２方向Ｄ２は、例えば表示パネル２の長辺に沿う方向である。第３方向Ｄ３は、第１方向Ｄ１及び第２方向Ｄ２と交差する方向である。図示した例において、各方向Ｄ１〜Ｄ３は互いに垂直に交わるが、各方向Ｄ１〜Ｄ３は他の角度で交わっても良い。バックライト３及び表示パネル２は、第３方向Ｄ３に重ねられている。
【００１６】
表示パネル２は、第１基板１０と、第１基板１０に対向する第２基板２０と、第１基板１０及び第２基板２０の間に配置された液晶層（後述する液晶層ＬＣ）と、を備えている。表示パネル２は、画像を表示する表示領域ＤＡを有している。表示パネル２は、例えば、表示領域ＤＡにおいて、第１方向Ｄ１及び第２方向Ｄ２にマトリクス状に並ぶ複数の画素ＰＸを備えている。
【００１７】
バックライト３は、第１基板１０と対向している。駆動ＩＣチップ４は、例えば第１基板１０に実装されている。但し、駆動ＩＣチップ４は、制御モジュール５などに実装されても良い。フレキシブル回路基板ＦＰＣ１は、第１基板１０と制御モジュール５とを接続している。フレキシブル回路基板ＦＰＣ２は、バックライト３と制御モジュール５とを接続している。
【００１８】
図２は、表示パネル２及びバックライト３の断面の一例を示す図である。この図においては、１つの画素ＰＸに対応する概略的な構造を示しており、第１基板１０に形成される各種信号線やスイッチング素子などを省略している。
【００１９】
画素ＰＸは、それぞれ異なる色を表示する複数の副画素を含む。図２の例においては、赤色を表示する副画素ＳＰＸＲ、緑色を表示する副画素ＳＰＸＧ、青色を表示する副画素ＳＰＸＢにより画素ＰＸが構成されている。但し、画素ＰＸは、他の色の副画素を含んでも良い。例えば、副画素ＳＰＸＲ，ＳＰＸＧ，ＳＰＸＢに白色の副画素をさらに加えて１つの画素ＰＸが構成されても良い。また、画素ＰＸは、同じ色を表示する副画素を複数含んでも良い。
【００２０】
第１基板１０は、ガラス基板などの光透過性を有する第１絶縁基板１１と、絶縁層１２と、画素電極１３と、第１配向膜１４とを備えている。第１絶縁基板１１は、バックライト３と対向する第１主面１１Ａと、第１主面１１Ａの反対側の第２主面１１Ｂとを有している。
【００２１】
絶縁層１２は、第１絶縁基板１１の第２主面１１Ｂに形成されている。図２においては絶縁層１２を単一の層として示しているが、実際には絶縁層１２は薄膜トランジスタや各種配線を形成するための複数の層を含んでいる。画素電極１３は、絶縁層１２の第２基板２０側の面に形成されている。画素電極１３は、副画素ごとに設けられている。第１配向膜１４は、絶縁層１２及び画素電極１３を覆っている。
【００２２】
第２基板２０は、ガラス基板などの光透過性を有する第２絶縁基板２１と、遮光層２２（ブラックマトリクス）と、カラーフィルタ２３と、平坦化層２４と、共通電極２５と、第２配向膜２６とを備えている。第２絶縁基板２１は、第１基板１０と対向する第１主面２１Ａと、第１主面２１Ａの反対側の第２主面２１Ｂとを有している。
【００２３】
遮光層２２は、第２絶縁基板２１の第１主面２１Ａにおいて各副画素の境界に配置され、各副画素の開口領域を形成している。カラーフィルタ２３は、遮光層２２によって形成された各副画素の開口領域に配置されている。カラーフィルタ２３は、各副画素に対応する色を有している。平坦化層２４は、カラーフィルタ２３を覆っている。共通電極２５は、平坦化層２４の第１基板１０側の面に形成され、例えば複数の副画素に亘って延びている。第２配向膜２６は、共通電極２５を覆っている。第１配向膜１４と第２配向膜２６との間には、上述の液晶層ＬＣが封入されている。
【００２４】
第２絶縁基板２１の第２主面２１Ｂには、光学素子ＯＤが配置されている。光学素子ＯＤは、例えば偏光板ＰＬを含む。本実施形態においては、バックライト３と第１基板１０との間に偏光板が設けられていない。なお、当該部分に偏光板を設けていないと、意図しない外部からの光が液晶表示装置１内で反射し、外部に出射されてしまい、表示品位が低下する恐れがある。よって、バックライト３と第１基板１０との間に偏光板を設けても良い。
【００２５】
光学素子ＯＤの上方には散乱層ＤＬが形成されている。この散乱層ＤＬは散乱粒子を含んでいる。散乱層ＤＬを設けることによって、面内輝度ムラを低減できる。特にバックライト３から照射される光が、平行性の高いコリメート光であれば、面内輝度ムラが起こりやすい。散乱層ＤＬを用いればこのような不具合を抑制できる。また、散乱層ＤＬ内で偏光した光の偏光性が低下する恐れがあるが、偏光板ＰＬを通過した後であれば問題はない。散乱粒子は、光を散乱するものであれば特に限定されず、有機粒子であっても無機粒子であっても良い。好ましくは、散乱粒子は無機粒子である。無機粒子としてはシリカやアルミナのような無機酸化物粒子が好ましい。
【００２６】
バックライト３は、導光体３０を備えている。導光体３０は、第１絶縁基板１１の第１主面１１Ａと対向する出射面３０Ａと、出射面３０Ａの反対側の反射面３０Ｂとを有している。詳しくは後述するが、出射面３０Ａは、偏光した光を表示パネル２に向けて出射する。
【００２７】
画素電極１３と共通電極２５との間に電圧が印加されていないとき、液晶層ＬＣの液晶分子は初期配向状態にある。この場合、出射面３０Ａからの光は偏光状態を殆ど変えずに液晶層ＬＣを通過し、偏光板ＰＬによって吸収される。一方で、画素電極１３と共通電極２５との間に電圧が印加されているとき、これら電極間に生じる電界によって液晶層ＬＣの液晶分子が初期配向状態から変化する。この場合、出射面３０Ａからの光の偏光状態は液晶層ＬＣによって変化し、この光の一部が偏光板ＰＬを通過する。このような動作原理に基づけば、各副画素の画素電極１３に選択的に電圧を印加することで、表示領域ＤＡにカラー画像を表示することができる。
【００２８】
続いて、バックライト３について説明する。  
図３は、バックライト３の概略的な構成を示す平面図である。バックライト３は、導光体３０と、光源部４０と、レンズ部５０と、屈曲部６０と、屈折体７０とを備えている。導光体３０、光源部４０、レンズ部５０、屈曲部６０、及び屈折体７０は、例えば表示パネル２及びバックライト３を保持するフレームによって、互いの位置関係が固定されている。なお、これらに加えて、光源部４０と屈曲部６０の間に、光路幅を広げるレンズや、光を回折させるミラーを設けても良い。
【００２９】
導光体３０は、例えば光透過性を有する樹脂材料等で形成された板状の部材である。屈折体７０は、導光体３０の第１方向Ｄ１に沿う端面に当接して配置されている。例えば、屈折体７０は、導光体３０と屈折率が同じ材料によって形成されており、導光体３０と屈折体７０との界面において光の屈折が生じない。
【００３０】
光源部４０は、第１光源４１と、第２光源４２と、第３光源４３とを含む。各光源４１〜４３は、第３光源４３、第２光源４２、第１光源４１の順で第３方向Ｄ３に重ねられている。本実施形態において、各光源４１〜４３は点光源である。但し、各光源４１〜４３は、例えば第２方向Ｄ２に長尺な線光源であっても良い。
【００３１】
レンズ部５０は、第１レンズ５１と、第２レンズ５２と、第３レンズ５３とを含む。各レンズ５１〜５３は、第３レンズ５３、第２レンズ５２、第１レンズ５１の順で第３方向Ｄ３に重ねられている。各レンズ５１〜５３は、例えば光透過性を有する樹脂材料やガラスなどで形成することができる。
【００３２】
屈曲部６０は、光源部４０から照射された光の光路を、屈折体７０に向けて屈曲させる。この屈曲体６０は、第１屈曲体６１と、第２屈曲体６２と、第３屈曲体６３とを含む。各屈曲体６１〜６３は、第３屈曲体６３、第２屈曲体６２、第１屈曲体６１の順で第３方向Ｄ３に重ねられている。各屈曲体６１〜６３は、例えば光透過性を有する樹脂材料やガラスなどで形成することができる。
【００３３】
図４は、図３に示したバックライト３の一部を拡大して示す平面図である。図５は、図４に示した屈曲部６０、屈折体７０、及び導光体３０の側面図である。なお、図４においては、説明のために、各光源４１〜４３、各レンズ５１〜５３、及び各屈曲体６１〜６３を第１方向Ｄ１及び第２方向Ｄ２にずらしている。しかしながら、本実施形態において、各光源４１〜４３、各レンズ５１〜５３、及び各屈曲体６１〜６３は例えばそれぞれ同一の形状であって、端部を揃えて第３方向Ｄ３に重ねられている。但し、各光源４１〜４３、各レンズ５１〜５３、及び各屈曲体６１〜６３の形状は互いに異なっていても良いし、同一の形状であっても第１方向Ｄ１或いは第２方向Ｄ２にずらして配置されていても良い。
【００３４】
図４及び図５に示すように、各屈曲体６１〜６３は、扁平な三角柱形状を有している。具体的には、第１屈曲体６１は、第１入射部６１Ａと、第１反射部６１Ｂと、第１出射部６１Ｃとを有している。また、第２屈曲体６２は、第２入射部６２Ａと、第２反射部６２Ｂと、第２出射部６２Ｃとを有している。また、第３屈曲体６３は、第３入射部６３Ａと、第３反射部６３Ｂと、第３出射部６３Ｃとを有している。各入射部６１Ａ〜６３Ａは、各屈曲体６１〜６３の第２方向Ｄ２に沿う側面に相当する。各反射部６１Ｂ〜６３Ｂは、各屈曲体６１〜６３の第１方向Ｄ１及び第２方向Ｄ２に対して傾いた側面に相当する。各出射部６１Ｃ〜６３Ｃは、各屈曲体６１〜６３の第１方向Ｄ１に沿う側面に相当する。各入射部６１Ａ〜６３Ａ、各反射部６１Ｂ〜６３Ｂ、及び各出射部６１Ｃ〜６３Ｃは、例えばいずれも第３方向Ｄ３と平行な平面である。
【００３５】
図５に示すように、各屈曲体６１〜６３は、各入射部６１Ａ〜６３Ａ、各反射部６１Ｂ〜６３Ｂ、各出射部６１Ｃ〜６３Ｃを第３方向Ｄ３に揃えて重ねられている。図５の例においては、各屈曲体６１〜６３が隙間なく重ねられているが、第１屈曲体６１と第２屈曲体６２の間、及び、第２屈曲体６２と第３屈曲体６３の間に隙間が形成されても良い。
【００３６】
第１光源４１は第１方向Ｄ１に向けて第１光Ｌ１を放ち、第２光源４２は第１方向Ｄ１に向けて第２光Ｌ２を放ち、第３光源４３は第１方向Ｄ１に向けて第３光Ｌ３を放つ。各光Ｌ１〜Ｌ３は、第１方向Ｄ１を中心として、第１方向Ｄ１と交わる方向への広がりを持って拡散する。各光Ｌ１〜Ｌ３は、上述の「偏光した光」の一例であり、特定の偏光軸を有している。各光源４１〜４３としては、例えば偏光したレーザ光を放つ半導体レーザなどを用いることができる。また、各光源４１〜４３としては、発光素子と、偏光子とを含む光源を用いても良い。さらに、各光源４１〜４３から照射される光は、平行性が高いコリメート光であると好ましい。
【００３７】
一例として、第１光Ｌ１は青色（Ｂ）のレーザ光であり、第２光Ｌ２は緑色（Ｇ）のレーザ光であり、第３光Ｌ３は赤色（Ｒ）のレーザ光である。但し、各光Ｌ１〜Ｌ３の色はこれに限定されない。
【００３８】
第１レンズ５１は、第１光源４１と第１入射部６１Ａとの間に配置されている。第２レンズ５２は、第２光源４２と第２入射部６２Ａとの間に配置されている。第３レンズ５３は、第３光源４３と第３入射部６３Ａとの間に配置されている。第１レンズ５１は、第１光源４１からの第１光Ｌ１を第１方向Ｄ１と平行な光に変換して第１入射部６１Ａに照射する。第２レンズ５２は、第２光源４２からの第２光Ｌ２を第１方向Ｄ１と平行な光に変換して第２入射部６２Ａに照射する。第３レンズ５３は、第３光源４３からの第３光Ｌ３を第１方向Ｄ１と平行な光に変換して第３入射部６３Ａに照射する。
【００３９】
第１入射部６１Ａから第１屈曲体６１に入射した第１光Ｌ１は、第１反射部６１Ｂで反射されて第２方向Ｄ２に屈曲し、第１出射部６１Ｃから出射する。第２入射部６２Ａから第２屈曲体６２に入射した第２光Ｌ２は、第２反射部６２Ｂで反射されて第２方向Ｄ２に屈曲し、第２出射部６２Ｃから出射する。第３入射部６３Ａから第３屈曲体６３に入射した第３光Ｌ３は、第３反射部６３Ｂで反射されて第２方向Ｄ２に屈曲し、第３出射部６３Ｃから出射する。
【００４０】
各出射部６１Ｃ〜６３Ｃは、例えば第２方向Ｄ２と垂直に交わる平面である。したがって、各光Ｌ１〜Ｌ３は、屈折することなく各出射部６１Ｃ〜６３Ｃから出射する。
【００４１】
図５に示すように、導光体３０は、上述の出射面３０Ａ及び反射面３０Ｂ（底面）を有している。反射面３０Ｂは、導光体３０の側面から導光体３０に入射する光を主に第３方向Ｄ３に向けて反射する複数のプリズム３１を有している。プリズム３１は、例えば断面三角形状で第１方向Ｄ１に延在するとともに、第２方向Ｄ２に並んでいる。
【００４２】
図４及び図５に示すように、屈折体７０は、屈曲部６０から照射された光の光路を屈折させる。屈折体７０は、第１面７１と、第２面７２と、第３面７３とを有している。図５の例において、各面７１〜７３は、いずれも第１方向Ｄ１に長尺な平面である。但し、各面７１〜７３は、曲面であっても良い。各面７１〜７３は、導光体３０の反射面３０Ｂ（或いは出射面３０Ａ）に対して、それぞれ第１角度θ１、第２角度θ２、第３角度θ３で傾いている。各角度θ１〜θ３は、互いに異なる鋭角である。具体的には、第２角度θ２は第１角度θ１よりも大きく、第３角度θ３は第２角度θ２よりも大きい（θ１＜θ２＜θ３）。
【００４３】
第１屈曲体６１の第１出射部６１Ｃから出射した第１光Ｌ１は、屈折体７０の第１面７１において屈折し、導光体３０に入射する。第２屈曲体６２の第２出射部６２Ｃから出射した第２光Ｌ２は、屈折体７０の第２面７２において屈折し、導光体３０に入射する。第３屈曲体６３の第３出射部６３Ｃから出射した第３光Ｌ３は、屈折体７０の第３面７３において屈折し、導光体３０に入射する。
【００４４】
屈折体７０の各面７１〜７３において屈折した各光Ｌ１〜Ｌ３は、導光体３０の反射面３０Ｂに照射される。各角度θ１〜θ３は、例えば各光Ｌ１〜Ｌ３が反射面３０Ｂの全域に照射されるように定めれば良い。反射面３０Ｂに照射された各光Ｌ１〜Ｌ３は、プリズム３１によって第３方向Ｄ３に反射され、出射面３０Ａから表示パネル２に向けて出射する。
【００４５】
このように出射面３０Ａから出射する光は、各光Ｌ１〜Ｌ３の色が混ぜ合わされた色となる。例えば上述のように各光Ｌ１〜Ｌ３がそれぞれ青色、緑色、赤色である場合、出射面３０Ａから出射する光の色を白色とすることができる。この他にも、各光Ｌ１〜Ｌ３の色を変更することで、任意の色の光を得ることができる。
【００４６】
以上説明した本実施形態の構成によれば、各光源４１〜４３からの光Ｌ１〜Ｌ３を導光体３０において混ぜ合わせることができる。さらに、導光体３０の出射面３０Ａから放たれる光は第３方向Ｄ３に向かう偏光した光であるために、導光体３０と第１基板１０との間にプリズムシートなどの光学素子を配置する必要がない。したがって、液晶表示装置１を薄型化することができる。
【００４７】
なお、複数の光源から放たれた異なる色の光を混ぜ合わせる構成としては、例えば、導光体の外で各光源からの光の光軸を合せてこれらの光を混ぜ合わせ、混ぜ合わされた光を導光体に入射させる構成を採用し得る。しかしながら、この構成を採用した場合には、各光源からの光の光軸を導光体の外で合わせるための光学系が必要となる。これに対し、本実施形態の構成であれば、このような光学系が不要であり、バックライト３を小型化することができる。
【００４８】
また、例えば各光源を導光体の側面に近接して配置し、各光源からの光を導光体に直接入射させて、導光体の内部で各光を混ぜ合わせる構成も考え得る。しかしながら、この構成を採用した場合において、各光を均一に混ぜるには導光体の内部で各光を何度も反射させる必要があり、導光体の内部で偏光した光の偏光度が低下し、導光体による光の吸収により発光効率が低下する。これに対し、本実施形態の構成であれば、導光体３０内での光の反射を最低限に抑えることができ、発光効率を高めることが可能である。  
このように、本実施形態の構成によれば、他の想定し得る構成よりも種々の面で好適である。
【００４９】
各光源４１〜４３から放たれる各光Ｌ１〜Ｌ３の色は、屈折体７０や導光体３０の光の波長に応じた吸収率或いは屈折率や、光源の出力に基づいて、最適な組み合わせを採用すれば良い。
【００５０】
一般に、短波長の光ほど屈折体７０や導光体３０による光の吸収率が大きい。赤色、緑色、青色の光の波長は、青＜緑＜赤となる。したがって、光の吸収率は、青＞緑＞赤となる。図５に示した屈折体７０の形状においては、各光Ｌ１〜Ｌ３が屈折体７０を通る光路の長さはＬ１＜Ｌ２＜Ｌ３となる。そこで、屈折体７０での吸収を考慮するならば、上述のように第１光Ｌ１を青色、第２光Ｌ２を緑色、第３光Ｌ３を赤色とすることが好ましい。また、光源の出力が異なる場合には、出力が最も大きいものを第３光源４３とし、次いで出力が大きいものを第２光源４２とし、最も出力が小さいものを第１光源４１としても良い。
【００５１】
一般に、短波長の光ほど屈折率が大きい。すなわち、光の屈折率は、青＞緑＞赤となる。各光Ｌ１〜Ｌ３を屈折体７０の各面７１〜７３にて屈折させるべき角度は、Ｌ１＞Ｌ２＞Ｌ３となる。すなわち、屈折率を考慮する場合にも、第１光Ｌ１を青色、第２光Ｌ２を緑色、第３光Ｌ３を赤色とすることが好ましい。このようにすれば、屈折体７０の第１面７１や第２面７２の角度θ１，θ２を垂直に近づけることができる。角度θ１，θ２を垂直に近づけることで、屈折体７０の第２方向Ｄ２における幅を小さくすることが可能となる。  
以上説明した他にも、本実施形態からは種々の好適な作用を得ることができる。
【００５２】
（第２実施形態）  
第２実施形態について説明する。本実施形態では、主に光源部４０、レンズ部５０、及び屈曲部６０の構成において第１実施形態と相違する。バックライト３について特に言及しない構成や表示パネル２などは第１実施形態と同様である。第１実施形態と同一又は類似する要素には同一の符号を付し、重複する説明を省略する。
【００５３】
図６は、第２実施形態に係るバックライト３の一部を概略的に示す平面図である。図７は、図６に示した各レンズ５１〜５３、屈曲体６１〜６３、屈折体７０、及び導光体３０の側面図である。
【００５４】
図６及び図７に示すように、本実施形態においては、各屈曲体６１〜６３が第２方向Ｄ２に並んでいる。また、各光源４１〜４３も第２方向Ｄ２に並び、各レンズ５１〜５３も第２方向Ｄ２に並んでいる。第１光源４１と第１レンズ５１と第１屈曲体６１の位置関係、第２光源４２と第２レンズ５２と第２屈曲体６２の位置関係、第３光源４３と第３レンズ５３と第３屈曲体６３の位置関係は、第１実施形態と同様である。
【００５５】
屈折体７０は、図４及び図５に示した各面７１〜７３に代えて、面７４を有している。面７４は、例えば導光体３０の反射面３０Ｂ（或いは出射面３０Ａ）に対して鋭角で傾いた平面である。但し、面７４は曲面であっても良い。
【００５６】
第１光源４１から放たれる第１光Ｌ１は第１レンズ５１及び第１屈曲体６１を経て第２方向Ｄ２に屈曲する。第２光源４２及び第３光源４３からそれぞれ放たれる第２光Ｌ２及び第３光Ｌ３についても同様に、それぞれ第２屈曲体６２及び第３屈曲体６３により第２方向Ｄ２に屈曲する。第１出射部６１Ｃから出射する第１光Ｌ１は、屈折体７０の面７４に照射される。第２出射部６２Ｃ及び第３出射部６３Ｃからそれぞれ出射する第２光Ｌ２及び第３光Ｌ３についても面７４に照射される。但し、第２光Ｌ２は面７４に至るまでに第１屈曲体６１を通過し、第３光Ｌ３は面７４に至るまでに第２屈曲体６２及び第１屈曲体６１を通過する。
【００５７】
屈折体７０に照射された各光Ｌ１〜Ｌ３は、面７４において導光体３０の反射面３０Ｂに向けて屈折し、反射面３０Ｂの全域に照射される。反射面３０Ｂに照射された各光Ｌ１〜Ｌ３は、プリズム３１によって第３方向Ｄ３に反射され、出射面３０Ａから表示パネル２に向けて出射する。このように出射面３０Ａから出射する光は、第１実施形態と同じく、各光Ｌ１〜Ｌ３の色が混ぜ合わされた色となる。
【００５８】
本実施形態では、第２屈曲体６２で屈曲された第２光Ｌ２が第１屈曲体６１を通過し、第３屈曲体６３で屈曲された第３光Ｌ３が第２屈曲体６２及び第１屈曲体６１を通過する。第２光Ｌ２及び第３光Ｌ３の進行方向を第２方向Ｄ２に保ったままこれらの光を屈折体７０に照射するには、これらの光が第１屈曲体６１或いは第２屈曲体６２にて屈曲しないように対策を施す必要がある。
【００５９】
図８は、上記対策の一例を説明するための図であり、各屈曲体６１〜６３の一部を拡大して示している。この図の例において、各屈曲体６１〜６３の各反射部６１Ｂ〜６３Ｂは、複数の傾斜面６４と、複数の平坦面６５とを有している。図８の例においては、傾斜面６４と平坦面６５とが交互に配置されている。
【００６０】
傾斜面６４は、第１方向Ｄ１及び第２方向Ｄ２に対して傾いた平面である。平坦面６５は、第１方向Ｄ１と平行であり、かつ第２方向Ｄ２と垂直に交わる平面である。傾斜面６４及び平坦面６５は、いずれも第３方向Ｄ３と平行である。
【００６１】
第１屈曲体６１の傾斜面６４、第２屈曲体６２の傾斜面６４、及び第３屈曲体６３の傾斜面６４は、第１方向Ｄ１における位置がずれている。他の観点からいえば、各屈曲体６１〜６３を第２方向Ｄ２に見たときに、第２屈曲体６２の傾斜面６４が第１屈曲体６１の平坦面６５と重なり、第３屈曲体６３の傾斜面６４が第１屈曲体６１及び第２屈曲体６２の各平坦面６５と重なる。
【００６２】
各傾斜面６４は、第１方向Ｄ１に向かう各光Ｌ１〜Ｌ３を第２方向Ｄ２に反射する。各出射部６１Ｃ〜６３Ｃは第２方向Ｄ２と垂直に交わる面であるため、各屈曲体６１〜６３の傾斜面６４にて第２方向Ｄ２にて反射された各光Ｌ１〜Ｌ３は、屈曲することなく各出射部６１Ｃ〜６３Ｃから出射する。
【００６３】
第２出射部６２Ｃから出射する第２光Ｌ２は、第１屈曲体６１の平坦面６５から第１屈曲体６１に入射する。平坦面６５及び第１出射部６１Ｃはいずれも第２方向Ｄ２と垂直に交わる面であるため、第２光Ｌ２は屈折することなく第１屈曲体６１を通過する。
【００６４】
第３出射部６３Ｃから出射する第３光Ｌ３は、第２屈曲体６２の平坦面６５から第２屈曲体６２に入射する。平坦面６５及び第２出射部６２Ｃはいずれも第２方向Ｄ２と垂直に交わる面であるため、第３光Ｌ３は屈折することなく第２屈曲体６２を通過する。さらに、第２屈曲体６２を通過した第３光Ｌ３は、第１屈曲体６１の平坦面６５から第１屈曲体６１に入射する。平坦面６５及び第１出射部６１Ｃはいずれも第２方向Ｄ２と垂直に交わる面であるため、第３光Ｌ３は屈折することなく第１屈曲体６１を通過する。
【００６５】
このように、図８に示した構造においては、第２光Ｌ２及び第３光Ｌ３が第１屈曲体６１及び第２屈曲体６２にて屈曲しない。したがって、第２光Ｌ２及び第３光Ｌ３の進行方向を第２方向Ｄ２に保ったまま、これらの光を第１光Ｌ１とともに屈折体７０に照射することができる。
【００６６】
図８の例においては、各屈曲体６１〜６３がいずれも同じ形状を有しており、これら屈曲体６１〜６３を第１方向Ｄ１にずらして配置している。この場合においては、各屈曲体６１〜６３として同一の部品を用いることができ、バックライト３を構成する部品の種類を減らすことが可能となる。
【００６７】
なお、各屈曲体６１〜６３は異なる形状であっても良い。例えば、傾斜面６４及び平坦面６５の第１方向Ｄ１における長さなどを、各屈曲体６１〜６３で異ならせても良い。第３屈曲体６３の第３反射部６３Ｂには各光Ｌ１〜Ｌ３がいずれも入射しない。そこで、第３屈曲体６３については平坦面６５を設けなくても良い。また、第１屈曲体６１の平坦面６５には第２光Ｌ２及び第３光Ｌ３の双方を入射させる必要があるが、第２屈曲体６２の平坦面６５には第３光Ｌ３のみを入射させれば良い。そこで、第２屈曲体６２の平坦面６５の第１方向Ｄ１における長さを、第１屈曲体６１の平坦面６５よりも短くしても良い。
【００６８】
本実施形態においても、各光源４１〜４３から放たれる各光Ｌ１〜Ｌ３の色は、屈折体７０、導光体３０、及び各屈曲体６１〜６３における光の吸収率或いは屈折率や、光源の出力に基づいて、最適な組み合わせを採用すれば良い。
【００６９】
例えば、各屈曲体６１〜６３を出射した各光Ｌ１〜Ｌ３のうち、第１光Ｌ１は屈折体７０に直接入射するが、第２光Ｌ２は第１屈曲体６１を経て、第３光Ｌ３は第２屈曲体６２及び第１屈曲体６１を経て屈折体７０に入射する。すなわち、第３光Ｌ３が最も吸収により減衰し易く、次いで第２光Ｌ２が吸収により減衰し易い。各光Ｌ１〜Ｌ３として赤色、緑色、青色の光を用いる場合、上述の通り、光の吸収率は青＞緑＞赤となる。そこで、各屈曲体６１〜６３での吸収を考慮するならば、第１光Ｌ１を青色、第２光Ｌ２を緑色、第３光Ｌ３を赤色とすることが好ましい。また、光源の出力が異なる場合には、出力が最も大きいものを第３光源４３とし、次いで出力が大きいものを第２光源４２とし、最も出力が小さいものを第１光源４１としても良い。
【００７０】
以上説明した本実施形態の構成においても、第１実施形態と同様の効果を得ることができる。また、本実施形態の構成であれば、各光源４１〜４３、各レンズ５１〜５３、及び各屈曲体６１〜６３を第３方向Ｄ３に重ねる必要がないので、バックライト３を薄型化できる。  
その他にも、本実施形態からは種々の好適な作用を得ることができる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００７２】
例えば、各実施形態では、各光源４１〜４３と各屈曲体６１〜６３との間にレンズ５１〜５３が配置される構成を開示した。これらのレンズ５１〜５３の機能は、各屈曲体６１〜６３がそれぞれ有していても良い。すなわち、各屈曲体６１〜６３の入射部６１Ａ〜６３Ａをレンズ５１〜５３と同様の曲面に加工し、各光源４１〜４３からこれら入射部６１Ａ〜６３Ａに入射する光が第１方向Ｄ１と平行な光に変換されるようにしても良い。
【００７３】
各実施形態では、導光体３０と屈折体７０とが別々の部材である場合を例示した。しかしながら、導光体３０と屈折体７０とは、一体的に形成されても良い。
第１実施形態における各屈曲体６１〜６３は、一体的に形成されても良い。この場合においては、一体的に形成された屈曲体の第２方向Ｄ２に沿う側面に各入射部６１Ａ〜６３Ａが含まれ、第１方向Ｄ１及び第２方向Ｄ２に対して傾いた側面に各反射部６１Ｂ〜６３Ｂが含まれ、第１方向Ｄ１に沿う側面に各出射部６１Ｃ〜６３Ｃが含まれる。
【００７４】
第１実施形態においては、各光源４１〜４３、各レンズ５１〜５３、及び各屈曲体６１〜６３が端部を揃えて第３方向Ｄ３に重ねられた構成を開示した。しかしながら、各光源４１〜４３、各レンズ５１〜５３、及び各屈曲体６１〜６３は、第１方向Ｄ１或いは第２方向Ｄ２にずれて配置されても良い。この場合において、例えば図９に示すように各光源４１〜４３、各レンズ５１〜５３、及び各屈曲体６１〜６３を配置しても良い。
【００７５】
図９に示すバックライト３においては、第２光源４２が第１光源４１及び第３光源４３と第３方向Ｄ３に重なっていない。各屈曲体６１〜６３は、第１光源４１及び第３光源４３と、第２光源４２との間に配置されている。第１屈曲体６１及び第３屈曲体６３は第３方向Ｄ３に端部を揃えて重ねられているが、第２屈曲体６２はこれら屈曲体６１，６３と第１方向Ｄ１において反対向きに配置されている。各レンズ５１〜５３は、第１光源４１と第１入射部６１Ａの間、第２光源４２と第２入射部６２Ａの間、第３光源４３と第３入射部６３Ａの間にそれぞれ配置されている。したがって、第１レンズ５１及び第３レンズ５３は第３方向Ｄ３に重なっているが、第２レンズ５２はこれらレンズ５１，５３と重なっていない。このような構造においては、各光源４１〜４３や各レンズ５１〜５３を第３方向Ｄ３に全て重ねる必要がないので、これら部材の第３方向Ｄ３における厚みや配置態様の自由度が高まる。
【００７６】
各実施形態にて開示した屈曲体６１〜６３の構造は、適宜に変形可能である。例えば、第１実施形態において、各反射部６１Ｂ〜６３Ｂに金属膜などの反射層が形成されても良い。このような反射層を設ければ、各屈曲体６１〜６３の内部から各反射部６１Ｂ〜６３Ｂに到達する光を効率的に第２方向Ｄ２に反射することができる。同様に、第２実施形態において、各反射部６１Ｂ〜６３Ｂの傾斜面６４に反射層が形成されても良い。
【００７７】
また、第２実施形態において図８に示した各屈曲体６１〜６３の形状は、適宜に変形可能である。図１０に各屈曲体６１〜６３の一変形例を示す。この図の例においては、傾斜面６４と平坦面６５との間に凹部６６が形成されている。例えば第１屈曲体６１に着目すると、凹部６６は、傾斜面６４の一方の端部をこの端部に接続される平坦面６５よりも第１出射部６１Ｃに近い位置に設けることによって形成されている。第２屈曲体６２及び第３屈曲体６３の凹部６６についても同様である。凹部６６は、各屈曲体６１〜６３のいずれか１つ、或いは２つにのみ設けられても良い。
【００７８】
図１１に各屈曲体６１〜６３の他の変形例を示す。この図の例においては、各屈曲体６１〜６３の反射部６１Ｂ〜６３Ｂに傾斜面６４と凹部６６とが設けられ、平坦面６５が設けられていない。さらに、第２屈曲体６２の第２出射部６２Ｃ及び第３屈曲体６３の第３出射部６３Ｃにも傾斜面６４と凹部６６とが設けられている。第１屈曲体６１の第１出射部６１Ｃには傾斜面６４と凹部６６とが設けられていない。
【００７９】
例えば第２屈曲体６２に着目すると、第２反射部６２Ｂの凹部６６は、図中で上下に並ぶ２つの傾斜面６４のうち、下方の傾斜面６４の上端部を、上方の傾斜面６４の下端部よりも第２出射部６２Ｃに近い位置に設けることによって形成されている。第１屈曲体６１及び第３屈曲体６３の各反射部６１Ｂ，６３Ｂの凹部６６についても同様である。また、第２出射部６２Ｃの凹部６６は、図中で上下に並ぶ２つの傾斜面６４のうち、上方の傾斜面６４の下端部を、下方の傾斜面６４の上端部よりも第２反射部６２Ｂに近い位置に設けることによって形成されている。第３屈曲体６３の第３出射部６３Ｃの凹部６６についても同様である。
【００８０】
第１屈曲体６１と第２屈曲体６２の間および第２屈曲体６２と第３屈曲体６３の間の空間の屈折率はｎ１であり、各屈曲体６１〜６３の屈折率はｎ２であり、ｎ１＜ｎ２が成立する。また、第１反射部６１Ｂの傾斜面６４と第２出射部６２Ｃの傾斜面６４は平行であり、第２反射部６２Ｂの傾斜面６４と第３出射部６３Ｃの傾斜面６４は平行である。
【００８１】
各反射部６１Ｂ〜６３Ｂの傾斜面６４は、第１方向Ｄ１に向かう各光Ｌ１〜Ｌ３を第２方向Ｄ２に反射する。第１反射部６１Ｂで反射された第１光Ｌ１は、屈曲することなく第１出射部６１Ｃから出射する。第２反射部６２Ｂで反射された第２光Ｌ２は、第２出射部６２Ｃの傾斜面６４で屈折するが、第１反射部６１Ｂの傾斜面６４でも屈折して第２方向Ｄ２と平行になる。第３反射部６３Ｂで反射された第３光Ｌ３は、第３出射部６３Ｃの傾斜面６４で屈折するが、第２反射部６２Ｂの傾斜面６４でも屈折して第２方向Ｄ２と平行になる。その後、この第３光Ｌ３は、第２出射部６２Ｃの傾斜面６４で屈折するが、第１反射部６１Ｂの傾斜面６４でも屈折して第２方向Ｄ２と平行になる。第１反射部６１Ｂにて屈折した第２光Ｌ２及び第３光Ｌ３は、屈曲することなく第１出射部６１Ｃから出射する。
【００８２】
このように、図１１の構造であっても、各光Ｌ１〜Ｌ３の進行方向を第２方向Ｄ２に保ったままこれらの光を屈折体７０に照射することができる。なお、図８、図１０、図１１の例から判るように、ある屈曲体の出射部とこの屈曲体に隣り合う屈曲体の反射部とに平行部分を設ければ、これらの平行部分を通過する光を第２方向Ｄ２と平行にすることができる。
【００８３】
また、各実施形態では、３つの光源４１〜４３から放たれる光を混ぜ合わせるための構成を開示した。しかしながら、光源の数は２つであっても良いし、４つ以上であっても良い。当然ながら、光源の数に応じてレンズや屈曲体の数を増減させれば良い。
【００８４】
また、各実施形態では、導光体３０の出射面３０Ａと平行な第１方向Ｄ１に光を放つように各光源４１〜４３を配置する構成を例示した。しかしながら、各光源４１〜４３を、出射面３０Ａと交わる方向、例えば出射面３０Ａの法線方向である第３方向Ｄ３に光を放つように配置することもできる。
【００８５】
第３方向Ｄ３に光を放つように光源を配置したバックライト３の一例を、図１２に示す。このバックライト３においては、各光源４１〜４３、各レンズ５１〜５３、各屈曲体６１〜６３が、第２実施形態と同じく第２方向Ｄ２に並んでいる。但し、ここでは、入射部６１Ａ〜６３Ａが第１方向Ｄ１及び第２方向Ｄ２と平行な平面であり、反射部６１Ｂ〜６３Ｂが第１方向Ｄ１と平行かつ第２方向Ｄ２及び第３方向Ｄ３と交わる平面であり、出射部６１Ｃ〜６３Ｃが第１方向Ｄ１及び第３方向Ｄ３と平行な平面である。
【００８６】
各屈曲体６１〜６３及びは、例えば屈折体７０に沿って第１方向Ｄ１に長尺に延びている。第１光源４１と第１レンズ５１は、第１方向Ｄ１に沿って複数配置されても良い。同様に、第２光源４２と第２レンズ５２、及び、第３光源４３と第３レンズ５３も、第１方向Ｄ１に沿って複数配置されても良い。
【００８７】
各光源４１〜４３から放たれた各光Ｌ１〜Ｌ３は、各屈曲体６１〜６３において第２方向Ｄ２に屈曲し、屈折体７０において屈折して、導光体３０の反射面３０Ｂに照射される。第１及び第２実施形態と同様に、導光体３０の出射面３０Ａからは、各光Ｌ１〜Ｌ３を混ぜ合わせた光を得ることができる。
【００８８】
各実施形態では、導光体３０の各プリズム３１に各光Ｌ１〜Ｌ３の全てが照射される構成を例示した。しかしながら、各光Ｌ１〜Ｌ３が照射されるプリズム３１が異なっていても良い。このような場合であっても、例えば散乱層ＤＬを含ませることで、各光Ｌ１〜Ｌ３を混ぜ合わせることができる。
【符号の説明】
【００８９】
１…液晶表示装置、２…表示パネル、３…バックライト、３０…導光体、３０Ａ…出射面、３０Ｂ…反射面、３１…プリズム、４０…光源部、４１〜４３…第１〜第３光源、Ｌ１〜Ｌ３…第１〜第３光、５１〜５３…第１〜第３レンズ、６１〜６３…第１〜第３屈曲体、６１Ａ〜６３Ａ…第１〜第３入射部、６１Ｂ〜６３Ｂ…第１〜第３反射部、６１Ｃ〜６３Ｃ…第１〜第３出射部、７０…屈折体、７１〜７３…第１〜第３面。
【図１】
2017103007.tif 000003
【図２】
2017103007.tif 000004
【図３】
2017103007.tif 000005
【図４】
2017103007.tif 000006
【図５】
2017103007.tif 000007
【図６】
2017103007.tif 000008
【図７】
2017103007.tif 000009
【図８】
2017103007.tif 000010
【図９】
2017103007.tif 000011
【図１０】
2017103007.tif 000012
【図１１】
2017103007.tif 000013
【図１２】
2017103007.tif 000014